(57)【要約】【課題】 本発明の入力画像の特性を考慮して適応的に入力画像の彩度を調節する方案を提供する。【解決手段】 彩度計算部は入力される映像を構成している各画素の彩度値を順次計算し、ヒストグラム分析部に伝達する。前記ヒストグラム分析部は、伝達された前記画素別彩度値に対応する区間値を少なくとも２つの区間のうち１つの区間に割り当てて累積カウントし、各区間別にカウント値に対応する利得を算出し伝達する。全体利得計算部は、前記伝達された各区間別の利得から全体利得を算出する。【選択図】   図４
2005354691.tif 000002
【特許請求の範囲】
【請求項１】
入力映像信号を構成する画素の彩度値を順次計算する彩度計算部と、
それぞれの彩度値を複数の区間のうち少なくとも１つの区間に割り当てて累積し、各区間で累積された彩度値にそれぞれ対応する利得を計算するヒストグラム分析部と、
前記ヒストグラム分析部から伝達された各区間の利得から全体利得を計算し、前記入力映像信号の彩度が前記全体利得に応じて制御するように行う全体利得計算部と、
を含むことを特徴とする映像処理装置において使用可能な利得算出装置。
【請求項２】
前記彩度計算部からの各画素別の前記彩度値を複数の下位区間に割当てるヒストグラム計算部をさらに含み、
前記ヒストグラム分析部は、前記区間のいずれか１つ対応される区間に前記それぞれの下位区間の前記割当てられた彩度値を割当てることを特徴とする請求項１に記載の映像処理装置において使用可能な利得算出装置。
【請求項３】
前記ヒストグラム分析部は、
前記区間のうち前記１つの対応される区間に前記下位区間の前記割当てられた彩度値を割当てるヒストグラム分類部と、
前記それぞれの区間の前記累積された彩度値に対応する前記利得を計算する少なくとも２つの彩度別利得計算部と、
を含むことを特徴とする請求項２に記載の映像処理装置において使用可能な利得算出装置。
【請求項４】
前記下位区間およびそれぞれの区間はそれぞれ第１領域および第２領域を有し、
前記ヒストグラム分類部は順次に前記それぞれの区間に前記下位区間の前記彩度値を割当てることを特徴とする請求項３に記載の映像処理装置において使用可能な利得算出装置。
【請求項５】
前記ヒストグラム分類部は、前記２つの隣接した区間の全てに前記区間のうち２つの隣接した区間の境界に位置した前記彩度値のいずれか１つを割当てることを特徴とする請求項３に記載の映像処理装置において使用可能な利得算出装置。
【請求項６】
前記少なくとも２つの彩度利得計算部のそれぞれは、
前記区間のうち対応される区間の前記累積された彩度値のうち対応される彩度値に累積された前記区間のすべての彩度値に基づいて、前記利得のうち対応される利得を計算することを特徴とする請求項３に記載の映像処理装置において使用可能な利得算出装置。
【請求項７】
前記利得は低い利得および高い利得を含み、前記彩度値は高彩度値、低彩度値、および中間彩度値を含み、
前記高彩度値または前記低彩度値が割当てられた前記少なくとも２つの彩度利得計算部は、前記比率が第１値である場合には前記低い利得を出力し、
前記比率が第２値である場合には前記高い利得を出力することを特徴とする請求項６に記載の映像処理装置において使用可能な利得算出装置。
【請求項８】
前記全体利得は前記入力映像信号の現フレームの第１全体利得および前記入力映像信号の前フレームの第２全体利得を含み、
前記全体利得計算部は、前記ヒストグラム分析部から伝達された前記それぞれの区間の前記利得からの前記全体利得を計算する彩度利得計算部と、
前記彩度利得計算部からの前記第１および第２全体利得を累積し、前記累積された全体利得の平均値を出力する平均累積計算部と、
を含むことを特徴とする請求項２に記載の映像処理装置において使用可能な利得算出装置。
【請求項９】
前記利得はさらに低い利得とさらに高い利得を含み、前記区間は低彩度区間、高彩度区間、および中間彩度区間を含み、
前記彩度利得計算部は、前記全体利得を出力するために前記低彩度区間と前記高彩度区間の前記利得からの前記さらに低い利得と、少なくとも１つの中間彩度区間の前記利得からの前記高い利得との和を計算することを特徴とする請求項８に記載の映像処理装置において使用可能な利得算出装置。
【請求項１０】
入力映像信号を受信し、前記入力映像信号の画素の彩度値を計算し、前記彩度値をそれぞれ第１領域を有する複数の第１区間に割当てる彩度計算部と、
それぞれ前記第１領域より大きい第２領域を有する複数の第２区間のうちいずれか１つの第２区間に前記第１区間の前記それぞれの彩度値を割当てて累積し、
前記それぞれの第２区間に累積された前記彩度値に対応するそれぞれの利得を計算するヒストグラム分析部と、
前記ヒストグラム分析部から伝達された前記各区間の前記利得からの全体利得を計算する全体利得計算部と、
前記全体利得に応じて前記入力映像信号の彩度を制御する彩度制御部と、
を含むことを特徴とする利得計算装置を含んだ映像処理装置。
【請求項１１】
前記全体利得および前記入力映像信号の特性を示す、予め設定された利得に応じて最終利得を生成する最終利得計算部をさらに含み、
前記彩度制御部は前記最終利得に応じて前記入力映像信号の前記彩度を制御することを特徴とする請求項１０に記載の利得計算装置を含んだ映像処理装置。
【請求項１２】
前記予め設定された利得は、前記入力映像信号のカラー利得、パターン利得、および局部利得の少なくとも１つを含むことを特徴とする請求項１１に記載の利得計算装置を含んだ映像処理装置。
【請求項１３】
前記第１区間は映像パラメーターに応じて前記入力映像信号のフレーム部に位置することを特徴とする請求項１０に記載の利得計算装置を含んだ映像処理装置。
【請求項１４】
前記映像パラメーターは、前記第１区間に分類される領域を有する彩度を含み、
前記第１区間の前記第１領域は前記第２区間に分類され、前記領域は前記第１および第２領域より小さいことを特徴とする請求項１３に記載の利得計算装置を含んだ映像処理装置。
【請求項１５】
前記第１領域は前記第２領域より大きいことを特徴とする請求項１０に記載の利得計算装置を含んだ映像処理装置。
【請求項１６】
前記第１区間のうち少なくとも１つは前記第２区間のうち少なくとも２つに対応されることを特徴とする請求項１０に記載の利得計算装置を含んだ映像処理装置。
【請求項１７】
前記第２区間は互いにオーバーラップするために２つの隣接した第２区間を含むことを特徴とする請求項１０に記載の利得計算装置を含んだ映像処理装置。
【請求項１８】
前記第１区間に対応する少なくとも１つの前記彩度値は、前記第２区間のうち少なくとも２つに割り当てられ累積されることを特徴とする請求項１０に記載の利得計算装置を含んだ映像処理装置。
【請求項１９】
前記第１区間の個数は、前記第２区間の個数より大きいことを特徴とする 請求項１０に記載の利得計算装置を含んだ映像処理装置。
【請求項２０】
前記第１区間は、該第１区間の少なくとも１つの他の区間をそれぞれ有する第１、第２、第３、および第４の彩度グループを含み、
前記第２区間は、前記第１区間の前記第１グループの前記彩度値が割当てられ累積される区間１（ｉｎｔｅｒｖａｌ  １）と、
前記第１区間の前記第２彩度グループの一部分、前記第１区間の第２彩度グループ、および前記第１区間の前記第３彩度グループの一部分の前記彩度値が割当てられ累積される区間２（ｉｎｔｅｒｖａｌ  ２）と、
前記第１区間の前記第３彩度グループの前記彩度値が割当てられ累積される区間３（ｉｎｔｅｒｖａｌ  ３）と、
前記１区間の前記第３彩度グループの一部分および前記第１区間の前記４彩度グループの前記彩度値が割当てられ累積される区間４（ｉｎｔｅｒｖａｌ  ４）と、
を含むことを特徴とする請求項１０に記載の利得計算装置を含んだ映像処理装置。
【請求項２１】
前記第１区間の個数が１０である場合、前記第１区間は第１ないし第１０の下位区間を含み、
前記第２区間の個数が４である場合、前記第２区間は前記第１ないし第３の下位区間に対応される前記彩度値が割当てられ累積される区間１と、
前記第３ないし第６の下位区間に対応される前記彩度値が割当てられ累積される区間２と、
前記第５ないし第８の下位区間に対応される前記彩度値が割当てられ累積される区間３と、
前記第８ないし第１０の下位区間に対応される前記彩度値が割当てられ累積される区間４と、
を含むことを特徴とする請求項１０に記載の利得計算装置を含んだ映像処理装置。
【請求項２２】
入力映像信号を構成する画素の彩度値を順次計算するステップと、
複数の区間のうち少なくとも１つの区間にそれぞれの前記彩度値を割り当て累積するステップと、
前記それぞれの区間で累積された前記彩度値にそれぞれ対応する利得を計算するステップと、
前記それぞれの区間の前記利得から全体利得を計算するステップと、
を含むことを特徴とする映像処理装置における利得算出方法。
【請求項２３】
前記利得の計算は、
前記彩度値を下位区間に割当て累積した後、前記下位区間の前記割当てられた区間値を前記区間のうち対応される区間に伝送するステップと、
前記それぞれの下位区間の前記累積された彩度値に対応される前記利得を計算するステップと、
を含むことを特徴とする請求項２２に記載の映像処理装置における利得算出方法。
【請求項２４】
それぞれの下位区間およびそれぞれの区間は第１領域および第２領域を有し、前記それぞれの下位区間の前記彩度値の前記割当ては順次に前記下位区間の前記彩度値を前記区間のうち少なくとも２つの前記区間に割当てるステップを含むことを特徴とする請求項２３に記載の映像処理装置における利得算出方法。
【請求項２５】
前記彩度値の割当ては前記区間のうち２つの隣接した区間の境界に位置する前記彩度値を２つの隣接した区間に割当てるステップを含むことを特徴とする請求項２４に記載の映像処理装置における利得算出方法。
【請求項２６】
前記それぞれの区間の前記累積された彩度値に対応するそれぞれの前記利得は、前記累積された彩度値のうち対応される累積された彩度値の前記累積値に累積された前記区間の彩度値全ての比率に応じてそれぞれの利得を計算して求めることを特徴とする請求項２３に記載の映像処理装置における利得算出方法。
【請求項２７】
前記それぞれの利得を計算するステップは、
前記比率が第１値であり、前記対応される区間が高彩度値または低彩度値に割当てられた場合、低い利得が計算され、
前記比率が第２値であり、前記対応される区間が中間彩度値に割当てられた場合、高い利得が計算されることを特徴とする請求項２６に記載の映像処理装置における利得算出方法。
【請求項２８】
前記全体利得を計算するステップは、
伝達された前記それぞれの区間に対する前記利得から前記全体利得を計算するステップと、
予め設定された時間に対する前記全体利得を累積し、前記累積された全体利得の平均値を出力するステップと、
を含むことを特徴とする請求項２３に記載の映像処理装置における利得算出方法。
【請求項２９】
前記利得は低い利得および高い利得を含み、前記彩度値は低彩度、高彩度、および中間彩度区間を含み、
前記全体利得を計算するステップは、前記低彩度区間および前記高彩度区間の前記利得からの前記さらに低い利得と、前記中間彩度区間の前記利得からの前記高い利得とを足すことを特徴とする請求項２８に記載の映像処理装置における利得算出方法。
【発明の詳細な説明】
【技術分野】
【０００１】
本発明は、カラー映像の彩度調節装置およびその方法に関し、詳細には入力映像のカラー彩度を調節しユーザに向上された画像を提供することのできる彩度調整装置およびその方法に関する。
【背景技術】
【０００２】
従来のイメージ処理装置は、入力映像の特性を考慮しないまま彩度の増加を行ったため、TV画面で背景画面の彩度を増加したい場合、登場人物の肌色が過飽和され不自然になってしまう問題があった。
【０００３】
図１は従来の彩度調節装置の構成を示した図である。前記彩度調節装置は彩度計算部１００、ヒストグラム計算部１０２、ピーク彩度計算部１０４、平均彩度計算部１０６、ピーク利得計算部１０８、平均利得計算部１１０、パターン利得計算部１１２、最終利得計算部１１４、カラー利得計算部１１６、彩度調節部１１８からなる。以下、前記各構成について詳説する。
【０００４】
前記彩度計算部１００は、入力された映像の各画素に対する彩度情報（Ｓ（ｘ、ｙ））を計算する。ヒストグラム計算部１０２は彩度計算部１００から求めた各画素の彩度情報から画像の全画素あるいは一部画素に対する彩度ヒストグラムを計算する。ピーク彩度計算部１０４は、ヒストグラム計算部１０２で計算した彩度ヒストグラムを用いてピーク彩度値を計算する。ピーク利得計算部１０８は、前記ピーク彩度値からピーク利得（gpeak）を計算する。平均彩度計算部１０６は、ヒストグラム計算部１０２で計算した彩度ヒストグラムを用いて平均彩度値を計算する。平均利得計算部１１０は、前記平均彩度値から平均利得（gmean）を計算する。
【０００５】
パターン利得計算部１１２は、テストパターン映像や、モーノトーンの形態、例えば、青空に飛んでいる鳥、夕焼けの空などの映像を検出し、これを利得に反映する。従って、パターン利得計算部１１２は、テストパターン映像やモーノトーン形態の映像に対する利得（gp）を計算する。パターン利得計算部１１２で計算された利得は最終利得計算部１１４に伝達される。
【０００６】
カラー利得計算部１１６は、入力される個々の画素が肌色に属するかに応じてカラー利得（gc）を計算する。カラー利得計算部１１６で計算された利得は最終利得計算部１１４に伝達される。さらに、最終利得計算部１１４は彩度計算部１００は各画素に対する利得（glocal ）が伝達される。
【０００７】
最終利得計算部１１４は、伝達された利得から最終利得を計算した後、前記計算した最終利得を彩度調節部１１８に送り出す。彩度調節部１１８は伝達された最終利得を用いて、入力される映像に対する彩度調節を行う。
【０００８】
図２ないし図３は、図１で提示した入力映像に対するピーク彩度と平均彩度を計算して彩度を計算して調節する場合起こり得る問題点について図示している。特に、図２は入力映像に対する平均彩度を計算して彩度を調節するとき起こり得る問題点を示し、図３は入力映像に対するピーク彩度を計算して彩度を調節するとき起こり得る問題点を示している。
【０００９】
図２に示したヒストグラムを有する映像の平均彩度は同じである。しかし、前記左側のヒストグラムを有する映像は、中間彩度にその値が多く分布されており、右側のヒストグラムを有する映像は低・高彩度にその値が多く分布されている。従って、前記ヒストグラムを有する映像は同じ利得で彩度を調節する。しかし、右側のヒストグラムを有する映像は低彩度および高彩度の映像を有する場合であるが、グレー色の低彩度映像を向上（ｅｎｈａｎｃｉｎｇ）する場合に映像が極に歪曲されてしまう問題点を抱えている。高彩度映像においても同一現象が起こる。これに比べて、前記左側のヒストグラムを有する映像は中間彩度の映像を有するが、前記中間彩度の映像を有する映像は高い利得で強調することによって彩度効率が高められる。即ち、低彩度、高彩度を有する映像が中間彩度を有する映像より高い利得で強調されなければならない。
【００１０】
図３に示されているヒストグラムを有する映像は中間彩度の傾向を有するが、いくつかの高彩度の画素（ピクセル）によりピーク彩度計算部とピーク利得計算部で高い利得を得ることができる。しかし、類似した中間彩度を有する映像にも係わらず左側の映像が右側の映像より小さい利得が適用されるという問題がある。
【発明の開示】
【発明が解決しようとする課題】
【００１１】
本発明は前述した問題点を解決するために案出されたもので、本発明の目的は、入力画像の特性を考慮し適応的に入力画像の彩度を調節するカラー映像の彩度調節装置およびその方法を提供することにある。
【課題を解決するための手段】
【００１２】
前述の目的を達成するために入力される映像を構成している各画素の彩度値を順次計算する彩度計算部と、伝達された前記画素別彩度値に対応する区間値を少なくとも２つの区間のうち１つの区間に割り当てて累積カウントし、各区間別にカウント値に対応する利得を算出するヒストグラム分析部と、前記ヒストグラム分析部から伝達された各区間別の利得から全体利得を算出する全体利得計算部と、を含むことを特徴とする。
【００１３】
本発明の目的を達成するために入力される映像を構成している各画素の 彩度値を順次計算して伝達するステップと、伝達された前記画素別彩度値に対応する区間値を少なくとも２つの区間のうち１つの区間に割り当てて累積カウントし、各区間別にカウント値に対応する利得を算出し伝達するステップと、前記伝達された各区間別の利得から全体利得を算出するステップと、を含む。
【発明の効果】
【００１４】
本発明は既存の画像に対する平均利得とピーク利得を作用するときに発生する問題点を解決するため入力される映像を彩度別に分類し、分類された彩度に応じて他の利得を割当てる。分類された彩度に応じて他の利得を割当てることにより鮮やかな色の映像を得ることができる。
【発明を実施するための最良の形態】
【００１５】
以下、添付の図面に基づいて本発明の好適な実施形態を詳述する。
図４は、本発明に係る彩度調節装置の構成を示している。前記彩度調節装置は、彩度計算部１００、ヒストグラム計算部１０２、ヒストグラム分析部４００、全体利得計算部４０２、パターン利得計算部１１２、最終利得計算部１１４、カラー利得計算部１１６、彩度調節部１１８からなる。前記彩度調節装置は、前記構成以外に他の構成を含むことができるが、図３は説明の便宜のため必要な構成のみを示している。
【００１６】
以下、前記各構成にて行われる動作について詳説する。
彩度計算部１００は、入力される各画素に対する彩度値を計算する。入力される画素（ＹＣｂＣｒ）を下記数１のようＲＧＢ信号に変換する。
【００１７】
【数１】
2005354691.tif 000003
前記ａ、ｂ、ｃ、ｄは変換係数である。前記彩度値は前記変換されたＲＧＢ信号を下記数２に基づいて求める。
【００１８】
【数２】
2005354691.tif 000004
前記Ｓは正規化された彩度値であって、０と１との間の値である。彩度計算部１００で計算された彩度値はヒストグラム計算部１０２に伝達される。
【００１９】
ヒストグラム計算部１０２は彩度計算部１００で求めた各画素に対する彩度値から全画素あるいは一部画素に対する彩度ヒストグラムを獲得する。
【００２０】
図５は前記ヒストグラム計算部１０２から伝達可能な彩度値を１０個の区間（ヒストグラム）に分けたことを示している。
【００２１】
例えば、映像信号のフレームやフィールドは映像パラメーターに応じて１０個の区間に分けられる。そして、飽和値は１０箇所のそれぞれに対応する区間に割当てられる。
【００２２】
例えば、前記１０個の区間はＨＩＳ０_ＩＮないしＨＩＳ９_ＩＮである。即ち、ヒストグラム計算部１０２は、伝達された彩度値を前記１０箇所の区間のいずれかの区間に割当てる。ヒストグラム計算部１０２から出力された値はヒストグラム分析部４００に伝達される。
【００２３】
ヒストグラム分析部４００は前記１０個の区間の伝達された値を複数の２番目区間に割当て、それぞれ１０個の区間のうち少なくとも１つを含む。例えば、複数の２番目区間の個数は１番目区間の個数（即ち、１０個）より少ないので、１０個の区間のうち１つの伝達された値は隣接した２番目区間に割当てられる。即ち、1０個の区間のうち伝達された値は隣接の２番目区間で累積されたりカウント（ｃｏｕｎｔ）される。ヒストグラム分析部４００は、前述したカウントされ伝達された値に応じて、それぞれの区間に対する利得を計算する。例えば、図５に示したように、ヒストグラム分析部４００は複数の２番目区間の個数が４である場合、伝達された値を４つの区間に割当て、それぞれの区間に対する利得を出力する。前記各２番目区間での利得はＧＡＩＮ_０ないしＧＡＩＮ_３である。
【００２４】
ヒストグラム分析部４００から出力される各区間別の利得は全体利得計算部４０２に伝達される。全体利得計算部４２０は伝達された利得から全体利得を計算する。
【００２５】
図６は本発明に係るヒストグラム分析部４００と全体利得計算部４０２を示している。ヒストグラム分析部４００はヒストグラム分類部６００と彩度利得計算部６０２〜６０８からなっており、全体利得計算部４０２は彩度利得計算部６１０と平均累積計算部６１２に構成されている。以下、各構成について詳説する。
【００２６】
ヒストグラム分析部４００はヒストグラム計算部１０２から伝達される値を累積する。
【００２７】
図７はヒストグラム分析部４００が伝達された値を１フレームの間に累積した例を示している。同図に示したように５番目の区間（ＨＩＳ４_ＩＮ）に該当する値が最も多く伝達され、８番目の区間（ＨＩＳ７_ＩＮ）に該当する値が最も少なく伝達される。
【００２８】
ヒストグラム分類部６００は、伝達された値を複数の区間に区分し、伝達された値を各区間別に累積する。下記の表１はヒストグラム分類部６００が各区間別に伝達された値を累積した一例を示している。
【００２９】
【表１】
2005354691.tif 000005
【００３０】
ヒストグラム分類部６００は、境界効果を除去するため互いの区間が重なり合うよう設定される。ヒストグラム分類部６００は、各区間での累積値を該当彩度利得計算部６００〜６０８に伝達する。区間４での累積値は高彩度利得計算部６０２に伝達し、区間３での累積値は第２中間彩度利得計算部６０４に伝達する。区間２における累積値は第１中間彩度利得計算部６０６に伝達し、区間１での累積値は低彩度利得計算部６０８に伝達する。
【００３１】
各彩度利得計算部６０２〜６０８は伝達された累積値を用いて各区間の彩度利得を計算する。下記数３は各彩度利得計算部６０２〜６０８で行われる動作につき数式で示したものである。
【００３２】
【数３】
2005354691.tif 000006
前記ｉは、0 ≦ i  ≦ 3である。
【００３３】
各彩度利得計算部６０２〜６０８は、分布頻度に対する利得を格納している。下記表２は各彩度利得計算部６０２〜６０８で格納している分布頻度に対する利得を示している。
【００３４】
【表２】
2005354691.tif 000007
【００３５】
表２に示したよに、高彩度/低彩度映像、または高彩度/低彩度が混合された映像である場合、彩度向上が少ない。よって、利得値は分布頻度が低いほど大きい値を有する。中間彩度映像である場合、彩度向上が割合に高くなければならないので、分布頻度が高いほど大きい値を有する。前記低彩度利得はＧＡＩＮ_０であり、前記高彩度利得はＧＡＩＮ_３に表示する。前記第１中間彩度利得はＧＡＩＮ_１に、前記第２中間彩度利得はＧＡＩＮ_２に表示する。
【００３６】
各彩度利得計算部６０２〜６０８で計算された利得は彩度利得計算部６１０に伝達される。彩度利得計算部６１０は伝達された各利得から全体利得を計算する。数４は彩度利得計算部６１０で行われる動作を数式で示したものである。
【００３７】
【数４】
2005354691.tif 000008
【００３８】
前記gtotal(x,y) は彩度利得計算部６１０から出力される全体利得を意味する。彩度利得計算部６１０から出力された全体利得は平均累積計算部６１２に伝達される。
【００３９】
平均累積計算部６１２は、彩度利得計算部６１０で求めた全体利得をいくつかのフレームの間累積し平均を出力する。前記平均を出力することにより平均累積計算部６１２は映像画面の変動が少ないほど多いフレームを累積する。平均累積計算部６１２から出力されたgglobal(x,y)は最終利得計算部１１４に伝達される。
【００４０】
以下、最終利得計算部１１５に伝達される利得値について詳説する。
図４によると、最終利得計算部１１４は、全体利得計算部４０２のみならず彩度計算部１００、カラー利得計算部１１６、パターン利得計算部１１２から利得を伝達される。
【００４１】
彩度計算部１００は求められた各画素の彩度と利得関数を用いて個々の画素に対する利得gglobal(x,y)を計算する。前記利得関数は彩度の高い画素に大しては小さな利得を有する。このように行うことでｇａｍｕｔ  マッピングを最小化することによって、カラー映像処理において問題になったｇａｍｕｔ  マッピングブロックを回避することができ、ｇａｍｕｔ  マッピングによる色変化を未然に防止できる。前記各画素に対する利得glocal(x,y)を計算するに当って、メモリに対する制約がなければ彩度計算部１００で計算された情報を別のメモリに格納し使用する。
【００４２】
パターン利得計算部１１２は、テスト映像や、モーノトーン映像を検出し、これを利得に反映するため使用される。前記テスト映像やモーノトーン映像は一般の自然映像に比べてヒストグラムを観察する場合、高彩度成分が強いという特性を有している。パターン利得計算部１１２は、彩度領域で下記数５のようにヒストグラム区間について隣接彩度との画素数に対する絶対値を求め、これに対する平均（P）を求める
【００４３】
【数５】
2005354691.tif 000009
Ｈ（ｉ）はｉ番目彩度の画素数を表す。
【００４４】
数５に基づいて求めた平均と図８のパターン利得関数に基づいてパターン利得 gp(x,y)を計算する。前記計算した平均がTHLowより小さければ自然映像に該当し、前記計算した平均がTHHighより大きければテスト映像に該当する。従って、計算した平均が自然映像に該当する場合にはパターン利得を１に設定し、テスト映像に該当する場合にはパターン利得を０に設定し、元の映像に対する彩度調節を行わない。
【００４５】
さらに、入力映像がTHLowとTHHighとの間値であれば、前記映像はモーノトーン映像であるので、色の上昇しすぎは映像画質の低下に繋がるためパターン利得が平均に反比例するよう行う。パターン利得計算部１１２で計算されたパターン利得は最終利得計算部１１４に伝達される。
【００４６】
カラー利得計算部１１６は入力される映像の個々の画素が肌色領域に属するかに応じてカラー利得gc(x,y)を計算する。カラー利得計算部１１６は入力された画素が肌色領域に属するかを判断するために、肌色の属する領域がＹＣｂＣｒカラー空間のうちどこに位置するかを知るべきである。前記肌色が属する領域がＹＣｂＣｒカラー空間のどこに位置するかを判断する過程についてその説明は除く。カラー利得計算部１１６で計算したカラー利得は最終利得計算部１１４に伝達される。
【００４７】
最終利得計算部１１４は、伝達された利得に基づいて最終利得を計算する。下記の数６は最終利得計算部１１４で行われる動作を表す。
【００４８】
【数６】
2005354691.tif 000010
【００４９】
前記ｇ（x、y）は最終利得計算部１１４で計算した最終利得を意味する。図４には最終利得計算部１１４が４つの利得を伝達されることにつき図示されているものの、ユーザの設定により異なってくる。即ち、前記４つの利得のうち少なくとも１つの利得が伝達されるよう設定することもできる。この場合、ユーザはgglobal(x, y)が最終利得計算部１１４に常に伝達されるよう設定する。
【００５０】
最終利得計算部１１４から計算された最終利得は彩度調節部１１８に伝達される。彩度調節部１１８は入力される映像を最終利得計算部１１４から伝達された最終利得に基づいて彩度を調節する。下記数７は彩度調節部１１８で行われる動作を表す。
【００５１】
【数７】
2005354691.tif 000011
【００５２】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００５３】
【図１】従来の彩度調節装置の構成を示した図である。
【図２】同一な平均利得を有する映像を示した図である。
【図３】ピーク利得を有する映像を示した図である。
【図４】本発明に係る彩度調節装置の構成を示した図である。
【図５】本発明に係るヒストグラム分析部と全体利得計算部に伝達される値を示した図である。
【図６】本発明に係るヒストグラム分析部と全体利得計算部を詳細に示した図である。
【図７】本発明に係るヒストグラム分析部で入力される値を複数区間のいずれか１つの区間に割当てしたグラフである。
【図８】パターン利得計算部のパターン関数を示した図である。
【符号の説明】
【００５４】
１００      彩度計算部
１０２      ヒストグラム計算部
４００      ヒストグラム分析部
４０２      全体利得計算部
１１２      パターン利得計算部
１１４      最終利得計算部
１１６      カラー利得計算部
１１８      彩度調節部
【図１】
2005354691.tif 000012
【図２】
2005354691.tif 000013
【図３】
2005354691.tif 000014
【図４】
2005354691.tif 000015
【図５】
2005354691.tif 000016
【図６】
2005354691.tif 000017
【図７】
2005354691.tif 000018
【図８】
2005354691.tif 000019